(57)【特許請求の範囲】
【請求項１】
コンピュータによって構成される上位装置と接続される画像表示装置であって、
着脱自在の携帯電話機の着脱を検知する検知手段と、
前記検知手段により前記携帯電話機が装着されたことを検知したとき、前記携帯電話機からＩＤ情報を読み出す読出手段と、
前記読み出したＩＤ情報に基づき、該ＩＤ情報に対応する前記上位装置が記憶する個人情報へのアクセスを許可する制御手段と、
前記検知手段により前記携帯電話機の装着が検知されたとき、前記携帯電話機が取り外されてから所定時間以内に装着されたか否かを判断する判断手段と、
前記判断手段により前記所定の時間以内と判断された場合、前記制御手段による制御を継続し、前記判断手段により前記所定の時間が経過したと判断された場合、前記制御手段による制御を終了する終了処理手段と、
前記携帯電話機が取り外されてから所定の時間内に前記所定の時間を延長する延長手段と
を有することを特徴とする画像表示装置。
【請求項２】
前記所定時間以内に装着された携帯電話機のＩＤ情報が異なる場合、前記制御手段は、使用中である旨のメッセージを表示することを特徴とする請求項１に記載の画像表示装置。
【請求項３】
前記延長手段は、前記画像表示装置の電源スイッチであり、押下回数に応じて延長時間が増えることを特徴とする請求項１に記載の画像表示装置。
【請求項４】
コンピュータによって構成される上位装置と接続される画像表示装置であって、
着脱自在の携帯電話機の着脱を検知する検知ステップと、
前記検知ステップにより前記携帯電話機が装着されたことを検知したとき、前記携帯電話機からＩＤ情報を読み出す読出ステップと、
前記読み出したＩＤ情報に基づき、該ＩＤ情報に対応する前記上位装置が記憶する個人情報へのアクセスを許可する制御ステップと、
前記検知ステップにより前記携帯電話機の装着が検知されたとき、前記携帯電話機が取り外されてから所定時間以内に装着されたか否かを判断する判断ステップと、
前記判断ステップにより前記所定の時間以内と判断された場合、前記制御ステップによる制御を継続し、前記判断ステップにより前記所定の時間が経過したと判断された場合、前記制御ステップによる制御を終了する終了処理ステップと、
前記携帯電話機が取り外されてから所定の時間内に前記所定の時間を延長手段により延長する延長ステップと
を有することを特徴とする機器間通信方法。
【請求項５】
前記所定時間以内に装着された携帯電話機のＩＤ情報が異なる場合、前記制御ステップにおいて、使用中である旨のメッセージを表示することを特徴とする請求項４に記載の機器間通信方法。
【請求項６】
前記延長手段は、前記画像表示装置の電源スイッチであり、押下回数に応じて延長時間が増えることを特徴とする請求項４に記載の機器間通信方法。
【発明の詳細な説明】
【０００１】
【発明の属する技術分野】
本発明は、画像表示装置及び機器間通信方法に関し、更に詳しくは、携帯電話機等の携帯機器を着脱自在に収納する場合等に好適な画像表示装置及び機器間通信方法に関する。
【０００２】
【従来の技術】
従来の一般的なコンピュータシステムは、例えば図１０に示すごとく、コンピュータ本体１００１、画像表示装置１００２、キーボード１００３、マウス１００４から構成されている。コンピュータ本体１００１は、演算処理を行い且つ記憶装置等を備えている。画像表示装置１００２は、コンピュータ本体１００１とケーブルにより接続されており、コンピュータ本体１００１の演算処理結果に従い画像表示を行う。コンピュータ本体１００１には、データ入力装置であるキーボード１００３やマウス１００４が接続されている。更に、コンピュータ本体１００１は、ネットワークに接続されることにより、個人宛ての電子メール管理や外部機器（例えばプリンタ）コントロール等を行っている。
【０００３】
他方、企業のオフィス等においては、画像表示装置１台につき１台のコンピュータを備えるのではなく、例えば図１１に示すごとく、処理能力の高いホストコンピュータに複数台の端末をネットワーク接続したシステムが利用されている。図示のコンピュータネットワークシステムは、ホストコンピュタ１１０１に、端末であるところの複数台の画像表示装置１１０２Ａ、１１０２Ｂ、１１０２Ｃ、１１０２Ｄ・・・、データ入力装置１１０３Ａ、１１０３Ｂ、１１０３Ｃ、１１０３Ｄ・・・をネットワーク接続することで、ホストコンピュータ１１０１により集中的にデータ管理等を行い、省スペースやデータの共有化による資源の有効利用やトータルコストの削減を図っている。
【０００４】
また、上記のようなコンピュータシステムを設置しているオフィスでは、個人が専有する端末と座席は必ずしも必要ではなく、上記電子メールのような個人情報に関するデータ等については個人番号の管理を行い処理している。また、上記のようなコンピュータシステムを設置しているオフィスでは、入退室管理にＩＤカード、及び個人への連絡手段として上記電子メールの他にＰＨＳ（Ｐｅｒｓｏｎａｌ  Ｈａｎｄｙ-ｐｈｏｎｅ  Ｓｙｓｔｅｍ：簡易型携帯電話機）等の携帯電話機等の複数の電子機器が用いられる場合が多い。この場合、上記のコンピュータシステム、ＩＤカード及び携帯電話機は機能的に独立している。
【０００５】
【発明が解決しようとする課題】
しかしながら、上述した従来技術においては下記のような問題があった。即ち、個人がコンピュータを用いた作業を行う際、入退室管理用のＩＤカードと携帯電話機の２種類の携帯機器を持ってオフィスに入り、システムまたは画像表示装置の起動を行った後で、個人情報管理のためのパスワード入力等の操作が必要である。この場合、携帯電話機は充電を必要とするものが殆どであり、未使用時は充電器に接続し充電を行っている。
【０００６】
このため、個人は例えば首からＩＤカードを吊り下げ、机上に画像表示装置と充電器に接続した携帯電話機を置いて作業を行うことになる場合があり、机上のスペースが損なわれるばかりでなく、それぞれの機器の電源確保と面倒な立ち上げ作業を余儀なくされるという問題があった。また、電源等の切り忘れ等による余分なエネルギ消費も発生することもあるという問題があった。更に、上述したごとく、個人が決まった座席を持たず且つ通信連絡手段としての電話機が座席に備え付けの場合、個人宛ての電話番号が不明になるという問題があった。
【０００７】
また、画像表示装置の使用中に携帯機器を携帯して一時離席したときには、Ｅメールの着信確認や使用終了操作をしたいときにその都度席に戻ってこなければならず、煩雑さを免れないという問題があった。
【０００８】
本発明は、上述した点に鑑みなされたものであり、セキュリティシステムとホストコンピュータへのアクセスを同一の携帯機器で実現可能とすることで、携帯機器を不必要に多く持たずに済むようにした画像表示装置及び機器間通信方法を提供することを目的とする。
【００１０】
また本発明は、上述した点に鑑みなされたものであり、携帯機器を画像表示装置に装着したとき、使用者の個人情報にアクセス可能とすることで、面倒な操作を不要とし、またアクセス許可にパスワードを要求することで、機密保持性を向上させた画像表示装置及び機器間通信方法を提供することを他の目的とする。
【００１３】
【課題を解決するための手段】
上記目的を達成するため、本発明の画像表示装置は、コンピュータによって構成される上位装置と接続される画像表示装置であって、着脱自在の携帯電話機の着脱を検知する検知手段と、前記検知手段により前記携帯電話機が装着されたことを検知したとき、前記携帯電話機からＩＤ情報を読み出す読出手段と、前記読み出したＩＤ情報に基づき、該ＩＤ情報に対応する前記上位装置が記憶する個人情報へのアクセスを許可する制御手段と、前記検知手段により前記携帯電話機の装着が検知されたとき、前記携帯電話機が取り外されてから所定時間以内に装着されたか否かを判断する判断手段と、前記判断手段により前記所定の時間以内と判断された場合、前記制御手段による制御を継続し、前記判断手段により前記所定の時間が経過したと判断された場合、前記制御手段による制御を終了する終了処理手段と、前記携帯電話機が取り外されてから所定の時間内に前記所定の時間を延長する延長手段とを有することを特徴とする。
【００１４】
上記目的を達成するため、本発明の機器間通信方法は、コンピュータによって構成される上位装置と接続される画像表示装置であって、着脱自在の携帯電話機の着脱を検知する検知ステップと、前記検知ステップにより前記携帯電話機が装着されたことを検知したとき、前記携帯電話機からＩＤ情報を読み出す読出ステップと、前記読み出したＩＤ情報に基づき、該ＩＤ情報に対応する前記上位装置が記憶する個人情報へのアクセスを許可する制御ステップと、前記検知ステップにより前記携帯電話機の装着が検知されたとき、前記携帯電話機が取り外されてから所定時間以内に装着されたか否かを判断する判断ステップと、前記判断ステップにより前記所定の時間以内と判断された場合、前記制御ステップによる制御を継続し、前記判断ステップにより前記所定の時間が経過したと判断された場合、前記制御ステップによる制御を終了する終了処理ステップと、前記携帯電話機が取り外されてから所定の時間内に前記所定の時間を延長手段により延長する延長ステップとを有することを特徴とする。
【００７１】
【発明の実施の形態】
以下、本発明の実施の形態を図面に基づいて説明する。
【００７２】
［１］第１の実施の形態
図２は本発明の第１の実施の形態に係る携帯電話機２０１の構成例を示す外観図であり、（ａ）は正面図、（ｂ）は右側面図、（ｃ）は下面図である。本発明の第１の実施の形態に係る携帯電話機２０１は、テンキー群２０２、ファンクションキー２０３、液晶ディスプレイ２０４、アンテナ２０５、ＩＤボタン２０６、充電及びデータ転送用端子２０７、凹部２０８、溝部２０９を備える構成となっている。
【００７３】
上記各部の構成を詳述すると、テンキー群２０２は、電話番号の入力等に使用される。ファンクションキー２０３は、電源のＯＮ／ＯＦＦ、発信／着信応答等に使用される。液晶ディスプレイ２０４は、電話番号／メッセージ／日時等を表示する。アンテナ２０５は、電波の送受信を行う。ＩＤボタン２０６は、使用者個人に割り当てられた番号（ＩＤ）を電波で発信する際に使用される。充電及びデータ転送用端子２０７は、例えば４個の端子から構成されており、その内２個の端子は充電用端子、残りの２個の端子はデータ送信用端子となっている。凹部２０８及び溝部２０９は、携帯電話機２０１を後述する画像表示装置の携帯電話機収納トレイに収納するために、携帯電話機２０１の筺体のそれぞれ底部及び側壁部に設けられている。凹部２０８には、後述する突起２０８ａが設けられている。
【００７４】
携帯電話機２０１は、上述したごとく使用者がＩＤボタン２０６を押下することで、電話機として通常使用される場合のように使用者個人に割り当てられた番号（ＩＤ）を電波で発信するように構成されている。但し、これは低出力で行われる。また、携帯電話機２０１の充電開始時に、充電及びデータ転送用端子２０７のデータ送信用端子から上記ＩＤが送信されるように構成されている。
【００７５】
図３は本発明の第１の実施の形態に係る携帯電話機２０１の凹部２０８、後述する画像表示装置の携帯電話機収納トレイ４０５、検知スイッチアクチュエータ５０１を拡大した断面図である。携帯電話機２０１の凹部２０８は、円筒形状に形成されており、その中央部には、円柱状の突起１０８ａが携帯電話機筺体底部に向けて配設されている。即ち、携帯電話機２０１を画像表示装置の携帯電話機収納トレイ４０５に収納した際に、携帯電話機２０１の突起１０８ａが画像表示装置の検知スイッチアクチュエータ５０１を押下するように構成されている。
【００７６】
図４は本発明の第１の実施の形態に係るコンピュータシステムの一部である画像表示装置４０１、キーボード４０２、マウス４０３の構成例を示す外観図である。画像表示装置４０１は、筺体外部に画像表示部４０４の画面、携帯電話機収納トレイ４０５、電源スイッチ４０６を備えると共に、筺体内部に後述の各種制御回路等を備える構成となっている。
【００７７】
上記各部の構成を詳述すると、画像表示装置４０１において、画像表示部４０４は、省スペース性の高い例えば液晶表示器として構成されており、ホストコンピュータ（図示略）の情報を表示する。尚、画像表示部４０４の表示方式は液晶に限定されるものではなく他の表示方式を用いることも可能である。携帯電話機収納トレイ４０５は、画像表示装置の例えば筺体側壁部に開閉可能に配設されている。即ち、携帯電話機収納トレイ４０５は、図示矢印方向に回動可能に当該トレイ下端部が画像表示装置筺体側壁部に軸で固定されている。携帯電話機収納トレイ４０５を開閉動作可能に構成することで、携帯電話機２０１を携帯電話機収納トレイ４０５に載置した後、画像表示装置４０１に収納可能としている。
【００７８】
また、画像表示装置４０１の筺体内部には、画像表示部４０４の背面を照明する背面光源、インバータ、画像表示部４０４の液晶駆動を制御する駆動制御回路、画像表示装置４０１のその他の機能を制御する機能制御回路、電源等が配設されている。画像表示装置４０１の上記制御系の構成については図１で後述する。更に、画像表示装置４０１は、筺体背面に配置されたコネクタ及びケーブルを介してホストコンピュータ（以上図示略）と電気的に接続されると共に電源供給を受けている。
【００７９】
他方、キーボード４０２及びマウス４０３は、画像表示装置４０１にコネクタ及びケーブルを介して電気的に接続されると共に、画像表示装置４０１を介してホストコンピュータ（図示略）と電気的に接続されている。これにより、使用者はキーボード４０２及びマウス４０３を操作することで、画像表示装置３０１を経由してホストコンピュータ（図示略）とデータ通信を行うことが可能となっている。
【００８０】
図５は本発明の第１の実施の形態に係る画像表示装置４０１の携帯電話機収納トレイ４０５の底部の一部を拡大した斜視図である。携帯電話機収納トレイ４０５の底部５０４には、検知スイッチアクチュエータ５０１、充電端子５０２が配設されている。後述の図１に示すデータ通信端子５０６の図示は省略する。また、携帯電話機収納トレイ４０５の側壁部５０５には、突起５０３が形成されている。
【００８１】
上記各部の構成を詳述すると、検知スイッチアクチュエータ５０１は、携帯電話機２０１が画像表示装置４０１の携帯電話機収納トレイ４０５に載置されたことを検知するものであり、外側が円筒状の非可動部で中央部が可動部ととして構成されている。携帯電話機２０１が携帯電話機収納トレイ４０５に載置された時、携帯電話機２０１の突起２０８ａが携帯電話機収納トレイ４０５の検知スイッチアクチュエータ５０１を押下し、これに伴い検知スイッチ（図示略）を押下することで、携帯電話機２０１の有無を検知可能としている。
【００８２】
また、検知スイッチアクチュエータ５０１は、上述したごとく、外側を円筒状の非可動部で囲まれた構造となっているため、誤って検知スイッチアクチュエータ５０１が押下されることを防止している。図示の充電端子５０２は、携帯電話機収納トレイ４０５に２個設置されている充電端子の一つであり、携帯電話機２０１の底部の充電端子２０７と対応するように配設されている。
【００８３】
また、携帯電話機収納トレイ４０５の充電端子５０２は、携帯電話機２０１の充電端子２０７との接触性を高めるべく、図中上下方向に可動する構造となっている。即ち、携帯電話機２０１が携帯電話機収納トレイ４０５に載置された状態では、携帯電話機２０１の充電端子２０７により押し込められた携帯電話機収納トレイ４０５の充電端子５０２が反力を与え続けるように構成されている。携帯電話機収納トレイ４０５の底部５０４には、上記と同様の端子が充電用に２個とデータ通信用に２個の計４個配設されている（後述の図１では、２個の充電端子を充電端子５０２として示し、２個のデータ通信端子をデータ通信端子５０６として示す）。
【００８４】
更に、携帯電話機収納トレイ４０５の側壁部５０５には、上述したごとくリブ状の突起（ガイドリブ）５０３が形成されており、携帯電話機２０１の筺体側壁部に形成された溝部２０９と係合させることで、誤挿入を防止すると共にホールド性を高めた構成となっている。
【００８５】
携帯電話機収納トレイ４０５の検知スイッチアクチュエータ５０１及び充電端子５０２等は、画像表示装置４０１の機能制御回路と電気的に接続されており、該機能制御回路でスイッチ情報が制御される。また、上記図４に示した電源スイッチ４０６も、機能制御回路と電気的に接続されている。これらについては図１で後述する。
【００８６】
図１は本発明の第１の実施の形態に係る画像表示装置４０１の制御系、携帯電話機、ホストコンピュータの構成例を模式的に示したブロック図である。画像表示装置４０１は、機能制御回路１０１、駆動制御回路１０２、画像表示部４０４、携帯電話機収納トレイ４０５、検知スイッチアクチュエータ５０１、充電端子５０２、データ通信端子５０６、電源スイッチ４０６、電源（図示略）等を備える構成となっている。
【００８７】
上記要部の構成を詳述すると、機能制御回路１０１は、（１）画像表示装置４０１の電源オン−オフに関わらず検知スイッチアクチュエータ５０１及び電源スイッチ４０６の状態を監視する機能、（２）携帯電話機収納トレイ４０５に対する携帯電話機２０１の収納を検知して画像表示装置４０１の電源をオン状態にする機能及び充電電力の供給開始と充電電力の供給制御を行う機能、（３）携帯電話機２０１からデータ通信端子５０６を介してＩＤを読み取りホストコンピュータ１０３へＩＤ認識させさらにパスワード認証を行い個人情報へのアクセスを許可する機能、（４）携帯電話機収納トレイ４０５に対し携帯電話機２０１が収納状態から非収納状態になった時、携帯電話機２０１と画像表示装置４０１及びホストコンピュータ１０３の接続の終了処理を行う機能、（５）終了処理開始までの時間管理を行う機能及び外部入力機器により時間設定を変更する機能、の少なくとも５つの機能を有する。
【００８８】
また、駆動制御回路１０２は、上述したごとく、画像表示部４０４の液晶駆動を制御する。画像表示装置４０１は、上記の機能制御回路１０１、並びに画像表示装置筺体背面に配設されたコネクタ及びケーブルを介してホストコンピュータ１０３と接続されている。尚、図中、上記図２・図４・図５に示した構成要素と共通する構成要素には同一符号を付すものとする。また、画像表示装置４０１に装備されている上述した背面光源、インバータ、電源等の図示は省略するものとする。
【００８９】
次に、上記のごとく構成してなる本発明の第１の実施の形態に係る画像表示装置４０１、携帯電話機２０１、ホストコンピュータ１０３を備えたシステムが設置されたオフィスへの入室から退室までのシステムの各機能の働きを人の動きに合わせて、図６〜図８のフローチャートを参照しながら説明する。
【００９０】
本システムが設置されたオフィスは、例えばセキュリティシステムにより人の入退室が出入り口で管理されているものとする。オフィスへの入室時に携帯電話機２０１を所持したＡ氏は、オフィスの出入り口で携帯電話機２０１のＩＤボタン２０６を押下し、携帯電話機２０１からＩＤコードをセキュリティシステムに発信する。セキュリティシステムは携帯電話機２０１から発信された上記ＩＤコードが入室許可者と一致した場合にのみ出入り口の扉を開ける。
【００９１】
入室したＡ氏は定席を持っていないため、空いている席と画像表示装置４０１を選び、携帯電話機２０１を画像表示装置４０１の携帯電話機収納トレイ４０５に載置し、画像表示装置４０１の筺体に収納する。画像表示装置４０１の機能制御回路１０１は、画像表示装置４０１がオフ状態でも携帯電話機収納トレイ４０５の検知スイッチアクチュエータ５０１の状態を監視しており、検知スイッチアクチュエータ５０１の作動に伴う検知スイッチ（図示略）からの信号出力の有無に基づき、携帯電話機２０１が携帯電話機収納トレイ４０５に収納されたか否かを判断する（ステップＳ６０１）。
【００９２】
この場合は上記のごとく携帯電話機２０１が携帯電話機収納トレイ４０５に収納されているため、画像表示装置４０１の機能制御回路１０１は携帯電話機収納トレイ４０５に対する携帯電話機２０１の収納を認識し、画像表示装置４０１自身のオン状態への立ち上げと、携帯電話機２０１への充電電力供給を開始する（ステップＳ６０２）。充電電力供給開始を検知した携帯電話機２０１は、携帯電話機内に予め記憶されているＡ氏のＩＤコードを携帯電話機底部のデータ転送用端子２０７から送信する。
【００９３】
これにより、画像表示装置４０１の機能制御回路１０１は携帯電話機２０１から送信されたＩＤコードをデータ通信端子５０６を介して読み込み、ＩＤコードをホストコンピュータ１０３に送信するとともにホストコンピュータ１０３はパスワードを要求し、入力されたパスワードが一致した場合のみホストコンピュータ１０３は使用者がＡ氏であることを認証する（ステップＳ６０３）。ホストコンピュータ１０３が使用者がＡ氏であると認証しない場合（ＮＧ）は、画像表示装置４０１の機能制御回路１０１は携帯電話機２０１に対する充電電力供給を中止する（ステップＳ６０４）。他方、ホストコンピュータ１０３が使用者がＡ氏であると認証した場合（ＯＫ）は、画像表示装置４０１の機能制御回路１０１はシステムを立ち上げ（ステップＳ６０５）、ホストコンピュータ１０３が管理しているＡ氏の個人情報及び共有情報にアクセス可能にする。
【００９４】
ここで言う個人情報とは個人で使用管理されるべき例えばＥメール等に関する情報や個人管理のファイルやフォルダ、通常使用しているアプリケーションや各種設定環境等を指し、共有情報とは掲示板や閲覧ファイルやフォルダ、標準アプリケーション等を指している。
【００９５】
上述した画像表示装置４０１における制御により、Ａ氏は自身の携帯電話機２０１をオフィス内の任意の画像表示装置４０１の携帯電話機収納トレイ４０５に装着するだけで、自動的に本システムの立ち上げが行われ、画像表示装置４０１を使用した作業の開始が可能となる。
【００９６】
さて、本システムの立ち上げ後、Ａ氏に例えば電話がかかってきた場合を想定する。Ａ氏は画像表示装置４０１に装着してある携帯電話機２０１を携帯電話機収納トレイ４０５を開けて抜き取り、通話を開始する。この時、画像表示装置４０１の機能制御回路１０１は検知スイッチアクチュエータ５０１を介して、携帯電話機収納トレイ４０５から携帯電話機２０１が抜き取られたか否かを検知する（ステップＳ６０６）。携帯電話機２０１が携帯電話機収納トレイ４０５から抜き取られていない場合は、画像表示装置４０１の機能制御回路１０１は標準動作モードに移行させる（ステップＳ６０７）。
【００９７】
携帯電話機２０１が携帯電話機収納トレイ４０５から抜き取られた場合は、画像表示装置４０１の機能制御回路１０１は終了処理準備（終了時間設定、時間計測開始）を始めるが（ステップＳ６１０）、動作モードは変更しない。ここで言う終了処理準備とは、上記ホストコンピュータ１０３との接続解除及び画像表示装置４０１自身を電源オフ状態にするまでの時間管理を行うことであり、本実施形態ではシステムがシャットダウンするまで例えば５分に設定されている。
【００９８】
また、この時間内に通話が終了し携帯電話機２０１を画像表示装置４０１の携帯電話機収納トレイ４０５に戻せば、画像表示装置４０１の機能制御回路１０１は検知スイッチアクチュエータ５０１を介して、携帯電話機２０１を検知し（ステップＳ６１１）、ＩＤが一致していれば（ステップＳ６１５でＯＫ）、上記終了処理準備を中止し（ステップＳ６１７）、元の動作モードを継続する。この場合、終了処理を例えば実行１分前と１５秒前に画像表示装置４０１の画像表示装部４０４に警告表示するようにしてある。また、通話中に上記終了処理時間を延長したい場合には、画像表示装置４０１の電源スイッチ４０６を一度押下する毎に例えば５分の延長が可能である。
【００９９】
次に、Ａ氏はオフィス外での用事が生じたが、すぐに戻るので作業状態を継続するため、キーボード４０２或いはマウス４０３により画像表示装置４０１の画像表示部４０４の画面上で作業継続を選択し、携帯電話機収納トレイ４０５から携帯電話機２０１を抜き取り、オフィス外へ出た場合を想定する。この時、画像表示装置４０１の機能制御回路１０１はスリープモードに移行させると共に（ステップＳ６０８）、終了処理実行までの時間が例えば１時間に設定される。
【０１００】
更に、離席中にメール着信があった場合Ａ氏の携帯電話機２０１にメール着信を通知するように自動的に設定され、メールがあった場合はＡ氏がメール着信を知ることができる。また、データ通信により着信メール内容を携帯電話機２０１にデータ転送し携帯電話機２０１のメモリにデータを格納すれば携帯電話機２０１でメールを読むことも可能である。
【０１０１】
前記データ通信はホストコンピュータが電話交換機と接続可能にしておくことで比較的容易に実現可能であり、また、携帯電話機２０１による例えば画像表示装置４０１の終了処理の実行命令をコマンドを送信する等して端末である画像表示装置４０１の使用を終了する等の遠隔操作を行う事も可能である。更に、音声認識可能なシステムを構築する事により音声による前記コマンド送信やデータ入力を携帯電話機のマイクを通じて行うことが可能になる。また、前記遠隔操作は画像表示装置４０１から抜き取られた携帯電話機２０１のＩＤにのみ対応していることは言うまでもない。
【０１０２】
ここで、Ａ氏が離席中にＢ氏が来て、Ａ氏が使用中であった画像表示装置４０１を使用すべくＢ氏の携帯電話機を携帯電話機収納トレイ４０５に載置した場合を想定する。画像表示装置４０１の機能制御回路１０１は検知スイッチアクチュエータ５０１を介して、Ｂ氏の携帯電話機を検知するが（ステップＳ６０９、Ｓ６１１）、ＩＤコードが一致しないので（ステップＳ６１５でＮＧ）、画像表示部４０４に「使用中」のメッセージを表示する（ステップＳ６１６）。表示を見たＢ氏が携帯電話機２０１を抜き取ると、画像表示装置４０１の機能制御回路１０１は検知スイッチアクチュエータ５０１を介して、Ｂ氏の携帯電話機の抜き取りを検知し（ステップＳ６１１）、再びスリープモードに入る（ステップＳ６０８）。
【０１０３】
次に、オフィスに戻ったＡ氏が続きの作業を終了させ、画像表示部４０４の画面上で作業終了を選択し、オフィスを出た場合を想定する。作業終了が選択されたので、画像表示装置４０１の機能制御回路１０１は終了処理準備時間を無視し、画像表示部４０４に終了アラームを表示し（ステップＳ６１２）、携帯電話機収納トレイ４０５からのＡ氏の携帯電話機２０１の取り外しを検知した後（ステップＳ６１３）、システム終了処理を実行し（ステップＳ６１４）、電源オフ状態になる。尚、上述した設定時間は初期設定であり、システム立ち上げ後、使用者が任意に設定可能である。
【０１０４】
以上説明したように、本発明の第１の実施の形態によれば、画像表示装置４０１は、携帯電話機２０１を着脱自在に収納すると共に携帯電話機２０１及び画像表示装置４０１を通信可能に接続する携帯電話機収納トレイ４０５と、携帯電話機２０１の着脱を検知する検知スイッチアクチュエータ５０１と、携帯電話機２０１から発信されるＩＤ情報を画像表示装置４０１に通信するデータ通信端子５０６と、検知スイッチアクチュエータ５０１の状態を監視する機能、検知スイッチアクチュエータ５０１が携帯電話機２０１の収納を検知した場合に画像表示装置４０１の電源をオン状態にすると共に携帯電話機２０１に充電を開始する機能、データ通信端子５０６を介して携帯電話機２０１からＩＤ情報を読取ると共にホストコンピュータ１０３にＩＤ情報を認識させ携帯電話機２０１の個人情報へのアクセスを可能にする機能、検知スイッチアクチュエータ５０１が携帯電話機２０１の取り外しを検知した場合に携帯電話機２０１と画像表示装置４０１及びホストコンピュータ１０３との接続の終了処理を行う機能、終了処理を開始するまでの時間管理及び外部入力に基づき時間設定の変更を行う機能を持つ機能制御回路１０１とを有し、また、携帯電話機２０１は、ＩＤボタン２０６、充電及びデータ転送用端子２０７、画像表示装置４０１の携帯電話機収納トレイ４０５の検知スイッチアクチュエータ５０１に対応する凹部２０８等を有するため、下記のような効果を奏する。
【０１０５】
上記の構成により、セキュリティシステムとホストコンピュータへのアクセスを同一の携帯機器で実現すること（セキュリティシステムとコンピュータシステムのＩＤの共通化）が可能となり、携帯機器を不必要に多く持たずに済むという効果がある。
【０１０６】
また、充電が必要な携帯機器を使用する場合においては別個に充電器を用意する必要が無く、電源コンセントの削減やスペース効率を向上させることができるという効果がある。
【０１０７】
更に、携帯機器を画像表示装置に載置するだけでコンピュータシステムを自動的に立ち上げることができると共に、使用者の個人情報にもアクセスすることが可能となるため、面倒な操作が不要であり、またアクセス許可がパスワードであるため、機密保持性も高いという効果がある。
【０１０８】
更にまた、画像表示装置またはコンピュータシステムの確実なオン−オフが可能となり、電源の切り忘れ等による無駄なエネルギ消費を回避することが可能となる効果がある。
【０１０９】
また、これまでの説明では画像表示装置４０１は内部に機能制御部を内臓して一体化されたものであったが、画像表示部と制御部を別体である例えばデスクトップＰＣ（パーソナルコンピュータ）によく見られるような形態の場合は携帯電話機を画像表示部、制御部のどちらに装着可能としても同様の効果がある。
【０１１０】
更に、本実施形態の説明では、ある一つのオフィスを想定していたが、例えば距離的に離れた場所に立地する事業所夫々に同様のシステムを構築しホストコンピュータ同士を通信可能にすれば携帯電話を携行するだけで夫々の事業所で個人のコンピュータ環境を実現可能であるので、例えばデータ処理のためにノート型ＰＣを持ち歩く必要がなくなり利便性が格段に向上する。
【０１１１】
［２］第２の実施の形態
本発明の第２の実施の形態は、上記第１の実施の形態で画像表示装置４０１と携帯電話機２０１が検知スイッチアクチュエータ５０１及び相互の端子間接続により充電／データ通信等を行っていたのに対し、図９に示すごとく、高周波及びコイルを利用することで、接点を設けることなく充電／データ通信を行うことを可能としたものである。
【０１１２】
図９は本発明の第２の実施の形態に係る画像表示装置、携帯電話機、ホストコンピュータからなるシステムにおける充電／データ通信を実現するための回路図であり、（ａ）は高周波発生装置の回路図、（ｂ）は受信装置の回路図である。高周波発生装置９０１は、コイル９０３を備えている。また、受信装置９０２は、コイル９０４、不揮発性メモリを有するＩＣ９０５、コンデンサ９０６を備えている。
【０１１３】
上記各部の構成及び動作を説明すると、原理と装置は比較的簡単であり、図９（ａ）において、高周波発生装置９０１のコイル９０３に交流電圧を印加すれば、高周波発生装置９０１から高周波が放出される。図９（ｂ）において、受信装置９０２は上記高周波発生装置９０１から放出された高周波を受信装置９０２内のコイル９０４で受けると、両端に起電力を発生する。受信装置９０２から情報を取り出すために受信装置９０２には特に電源を必要としない。
【０１１４】
受信装置９０２は、上記のごとく、コイル９０４、不揮発性メモリを有するＩＣ９０５、コンデンサ９０６という構成で、コイル９０４で受けた高周波電力を直流電力に変換しコンデンサ９０６に蓄え、次にコンデンサ９０６に蓄えられた電力を利用してＩＣ９０５中に記憶された情報をコイル９０４をアンテナとして送信することが可能である。高周波発生装置９０１は、送受信のタイミングを同期させ受信装置９０２から送信された情報を受け取ることが可能となる。また、受信装置９０２は、高周波受信でコイル９０４両端に電力を発生するので、これを充電池に接続することで充電も可能である。
【０１１５】
以上説明したように、本発明の第２の実施の形態によれば、高周波発生装置９０１の機能を、上記第１の実施の形態における画像表示装置４０１の携帯電話機収納トレイ４０５の端子の代わりに画像表示装置に備えると共に、受信装置９０２の機能を、上記第１の実施の形態におけるセキュリティシステムのＩＤ読取部の代わりに携帯電話機に備えることで、上記第１の実施の形態と同等の効果を実現することが可能である。
【０１１６】
特に、オフィスへの入退室管理に関しては、使用者は携帯電話機を所持しているだけで自動的にＩＤコード送受信が行われるので、あたかも自動ドアを通るような感覚で入退室を行うことが可能であるばかりでなく、的確な入退室管理も同時に実現することが可能である。
【０１１７】
尚、本発明の第２の実施の形態並びに上記第１の実施の形態では、画像表示装置と携帯電話機との間における電気的接続や電磁気的通信によりデータ通信を実現しているが、赤外線伝送等の光学的手法を適用することも可能である。
【０１１８】
［３］第３の実施の形態
本発明の第３の実施の形態は、画像表示装置にＩＤカード読取装置及びスリット部を設けると共に、当該スリット部でＩＤカード保持及びＩＤカードの挿抜入検知を行うようにしたものである。ＩＤカードはセキュリティシステムで使用するものと同一である。
【０１１９】
以上説明したように、本発明の第３の実施の形態によれば、画像表示装置にＩＤカード読取装置及びスリット部を設けると共に、当該スリット部でＩＤカード保持及びＩＤカードの挿抜入検知を行うようにしているため、上記第１及び第２の実施の形態における効果と同様の効果、即ち、コンピュータシステムの自動立ち上げ、エネルギ削減、携帯性、収納性に優れたセキュリティシステム等が提供可能となる効果がある。
【０１２０】
また、机上に個人連絡用の電話機を設置し、画像表示装置、ホストコンピュータ、ソフト的に各電話機の番号割り当てが可能な集中電話交換機を接続することで、個人の内線番号・外線番号とＩＤコードを対応させれば、ＩＤカードが挿入された画像表示装置の設置場所にある電話機にＩＤコードに対応した電話番号を割り付けることが可能となる。これにより、定席を決めないオフィスの形態でも、個人の決めた席の電話機の番号を自動的に個人の番号に設定することが可能となる効果がある。
【０１２１】
尚、本発明は、複数の機器から構成されるシステムに適用しても、１つの機器からなる装置に適用してもよい。前述した実施形態の機能を実現するソフトウエアのプログラムコードを記憶した記憶媒体をシステム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１２２】
この場合、記憶媒体から読み出されたプログラムコード自体が前述した実施形態の機能を実現することになり、そのプログラムコードを記憶した記憶媒体は本
発明を構成することになる。
【０１２３】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１２４】
また、コンピュータが読出したプログラムコードを実行することにより、前述した実施形態の機能が実現されるだけでなく、そのプログラムコードの指示に基づき、コンピュータ上で稼働しているＯＳなどが実際の処理の一部または全部を行い、その処理によって前述した実施形態の機能が実現される場合も含まれることは言うまでもない。
【０１２５】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０１２６】
【発明の効果】
以上説明したように、本発明の画像表示装置によれば、携帯機器を画像表示装置に装着することにより、使用者の個人情報にアクセス可能とすることができる。
【０１２７】
また、本発明によれば、個人情報へのアクセスを許可するときにパスワードを要求するため、機密保持性が高い。
【０１２９】
また、本発明によれば、携帯機器を画像表示装置に装着することにより、ホスト機器に格納された使用者の個人情報にアクセス可能とすることができる。
【０１３０】
また、本発明によれば、一時的な携帯機器の取り外しに対応することができる。
【図面の簡単な説明】
【図１】本発明の第１の実施の形態に係る画像表示装置の制御系、携帯電話機、ホストコンピュータの構成例を模式的に示したブロック図である。
【図２】本発明の第１の実施の形態に係る携帯電話機の構成例を示す外観図であり、（ａ）は携帯電話機の正面図、（ｂ）は携帯電話機の右側面図、（ｃ）は携帯電話機の下面図である。
【図３】本発明の第１の実施の形態に係る携帯電話機の凹部、画像表示装置の携帯電話機収納トレイ、検知スイッチアクチュエータを拡大した断面図である。
【図４】本発明の第１の実施の形態に係るコンピュータシステムの一部である画像表示装置、キーボード、マウスの構成を示す外観図である。
【図５】本発明の第１の実施の形態に係る画像表示装置の携帯電話機収納トレイの底部の一部を拡大した斜視図である。
【図６】本発明の第１の実施の形態に係る画像表示装置、携帯電話機、ホストコンピュータからなるシステムにおける処理を示すフローチャートである。
【図７】本発明の第１の実施の形態に係る画像表示装置、携帯電話機、ホストコンピュータからなるシステムにおける処理を示すフローチャートである。
【図８】本発明の第１の実施の形態に係る画像表示装置、携帯電話機、ホストコンピュータからなるシステムにおける処理を示すフローチャートである。
【図９】本発明の第２の実施の形態に係る画像表示装置、携帯電話機、ホストコンピュータからなるシステムにおける充電／データ通信を実現するための回路図であり、（ａ）は高周波発生装置の回路図、（ｂ）は受信装置の回路図である。
【図１０】従来例に係るコンピュータシステムの構成を示す外観図である。
【図１１】従来例に係るコンピュータネットワークシステムの構成を示す説明図である。
【符号の説明】
１０１  機能制御回路
１０２  駆動制御回路
１０３  ホストコンピュータ
２０１  携帯電話機
２０６  ＩＤボタン
２０７  充電及びデータ転送用端子
２０８  凹部
２０８ａ  突起
２０９  溝部
４０１  画像表示装置
４０４  画像表示部
４０５  携帯電話機収納トレイ
４０６  電源スイッチ
５０１  検知スイッチアクチュエータ
５０２  充電端子
５０３  突起
９０１  高周波発生装置
９０２  受信装置
９０３、９０４  コイル
９０５  ＩＣ
９０６  コンデンサ
【図１】
0004194172.tif 000002
【図２】
0004194172.tif 000003
【図３】
0004194172.tif 000004
【図４】
0004194172.tif 000005
【図５】
0004194172.tif 000006
【図６】
0004194172.tif 000007
【図７】
0004194172.tif 000008
【図８】
0004194172.tif 000009
【図９】
0004194172.tif 000010
【図１０】
0004194172.tif 000011
【図１１】
0004194172.tif 000012